【手続補正書】
【提出日】平成19年8月30日(2007.8.30)
【手続補正１】
【補正対象書類名】明細書
【補正対象項目名】特許請求の範囲
【補正方法】変更
【補正の内容】
【特許請求の範囲】
【請求項１】
複数の個別の視聴者の各々にカスタマイズした線形ビデオ番組編成を配送するための方法であって、
前記複数の視聴者の各々の嗜好を示す情報を処理して各前記視聴者に対する視聴者特徴情報を発展させるステップと、
同じ構想の複数の変形から選択される構想を含む見掛け上線形の番組を生成して、前記視聴者特徴情報に従って前記視聴者に線形配送するように、各視聴者ごとにビデオ番組編成セグメントの集合を構成するステップとを含む、方法。
【請求項２】
ビデオ番組編成セグメントの集合を構成するステップは、複数の放送ビデオ番組編成セグメントから少なくとも１つのセグメント、および記憶媒体に記憶される複数のセグメントから少なくとも１つのセグメントを選択して、前記ビデオセグメントの放送と同時に前記視聴者に線形配送して見掛け上線形の番組を生成するステップをさらに含む、請求項１に記載の方法。
【請求項３】
前記複数の視聴者の各々の嗜好を示す情報を処理するステップは、前記複数の視聴者の各々のテレビ番組視聴嗜好を示す情報を処理するステップを含む、請求項１に記載の方法。
【請求項４】
前記複数の視聴者の各々のテレビ番組視聴嗜好を示す情報を処理するステップは、前記複数の視聴者の各々が見るテレビ番組、前記複数の視聴者の各々によって録画されるテレビ番組、前記複数の視聴者の各々が見ないテレビ番組、前記複数の視聴者の各々が要求するテレビ番組ガイド情報、および前記複数の視聴者の各々が要求しないテレビ番組ガイド情報のうち少なくとも１つを示す情報を処理するステップを含む、請求項３に記載の方法
。
【請求項５】
情報を処理するステップは、電子番組ガイド情報を処理するステップを含む、請求項４に記載の方法。
【請求項６】
前記複数の視聴者の各々の嗜好を示す情報を処理するステップは、問合せに応じて各前記視聴者から与えられる情報を処理するステップを含む、請求項１に記載の方法。
【請求項７】
前記複数の視聴者の各々の嗜好を示す情報を処理するステップは、前記複数の視聴者の各々のテレビ番組視聴嗜好以外の嗜好を示す情報を処理するステップを含む、請求項１に記載の方法。
【請求項８】
前記複数の視聴者の各々のテレビ番組視聴嗜好以外の嗜好を示す情報を処理するステップは、前記複数の視聴者の各々の音楽の嗜好、前記複数の視聴者の各々の読書の嗜好、および前記複数の視聴者の各々の買物の嗜好のうち少なくとも１つを示す情報を処理するステップを含む、請求項７に記載の方法。
【請求項９】
前記複数の視聴者の各々のテレビ番組視聴嗜好以外の嗜好を示す情報を処理するステップは、オンライン音楽クラブ、オンライン本クラブ、オンライン特別な趣味のクラブおよび組織、ならびにオンライン小売業者および貿易業者を含むソースの群から取得される、前記複数の視聴者の各々のテレビ番組視聴嗜好以外の嗜好を示す情報を処理するステップを含む、請求項７に記載の方法。
【請求項１０】
前記複数の視聴者の各々の嗜好を示す情報を処理して各前記視聴者に対する視聴者特徴情報を発展させるステップは、前記複数の視聴者の各々の嗜好を示す情報を処理して各前記視聴者に対するテレビ番組視聴嗜好プロファイルを発展させるステップを含む、請求項１、３、６または７に記載の方法。
【請求項１１】
前記複数の視聴者の各々の嗜好を示す情報を処理して各前記視聴者に対するテレビ番組視聴嗜好プロファイルを発展させるステップは、一般母集団の代表的標本の視聴習慣に基づく予測モデルに従って前記複数の視聴者の各々の嗜好を示す情報を処理して各前記視聴者に対するテレビ番組視聴嗜好プロファイルを発展させるステップを含む、請求項１０に記載の方法。
【請求項１２】
前記一般母集団の標本の前記視聴習慣に基づく確率モデルに従って各前記視聴者に対して発展された前記テレビ番組視聴嗜好プロファイルを処理するステップは、ベイズネットワークを構築することによって予測モデルのパラメータに対する最大事後確率値を計算し、各視聴者に対するテレビ番組視聴嗜好を予測するステップを含む、請求項１１に記載の方法。
【請求項１３】
前記複数の視聴者の各々の嗜好を示す情報を処理して各前記視聴者に対するテレビ番組視聴嗜好プロファイルを発展させるステップは、前記複数の視聴者の各々の嗜好を示す情報を処理することによって各視聴者の隠れた特色および各視聴者の関連する特色のうち少なくとも１つを演繹するステップを含む、請求項１０に記載の方法。
【請求項１４】
各前記視聴者に対して発展された前記テレビ番組視聴嗜好プロファイルを処理して各前記視聴者に対する人口統計情報を発展させるステップをさらに含む、請求項１０に記載の方法。
【請求項１５】
各前記視聴者に対して発展された前記テレビ番組視聴嗜好プロファイルを処理して各前
記視聴者に対する人口統計情報を発展させるステップは、一般母集団の代表的標本の視聴習慣に基づく予測モデルに従って各前記視聴者に対して発展された前記テレビ番組視聴嗜好プロファイルを処理して各前記視聴者に対する人口統計情報を発展させるステップを含む、請求項１４に記載の方法。
【請求項１６】
前記一般母集団の代表的標本の前記視聴習慣に基づく予測モデルに従って各前記視聴者に対して発展された前記テレビ番組視聴嗜好プロファイルを処理するステップは、前記一般母集団の前記代表的標本によって示されるよりも高い割合の人口統計特色を示す視聴者を引付けるテレビ番組に対する視聴者嗜好に基づく前記視聴者の各人口統計特色を予測する予測モデルに従って各前記視聴者に対して発展された前記テレビ番組視聴嗜好プロファイルを処理するステップを含む、請求項１５に記載の方法。
【請求項１７】
前記一般母集団の前記代表的標本によって示されるよりも高い割合の前記人口統計特色を示す視聴者を引付けるテレビ番組に対する視聴者嗜好に基づく前記視聴者の各人口統計特色を予測する予測モデルに従って各前記視聴者に対して発展された前記テレビ番組視聴嗜好プロファイルを処理するステップは、
前記一般母集団の前記代表的標本によって示されるよりも高い割合の前記人口統計特色を示す視聴者を引付け、かつ前記一般母集団の前記代表的標本によって示されるよりも高い割合の他の人口統計特色を示す視聴者を引付ける他のテレビ番組との最小限の人口統計特色相関を示すテレビ番組に対する視聴者嗜好に基づく前記視聴者の各人口統計特色を予測する予測モデルに従って各前記視聴者に対して発展された前記テレビ番組視聴嗜好プロファイルを処理するステップをさらに含む、請求項１６に記載の方法。
【請求項１８】
前記複数の視聴者の各々の嗜好を示す情報を処理して各前記視聴者に対する視聴者特徴情報を発展させるステップは、前記複数の視聴者の各々の嗜好を示す情報を処理して各前記視聴者に対する人口統計情報を発展させるステップを含む、請求項１に記載の方法。
【請求項１９】
前記複数の視聴者の各々の嗜好を示す情報を処理して各前記視聴者に対する人口統計情報を発展させるステップは、一般母集団の代表的標本の視聴習慣に基づく予測モデルに従って各前記視聴者の嗜好を示す情報を処理して各前記視聴者に対する人口統計情報を発展させるステップを含む、請求項１８に記載の方法。
【請求項２０】
前記一般母集団の代表的標本の前記視聴習慣に基づく予測モデルに従って各前記視聴者の嗜好を示す情報を処理するステップは、前記一般母集団の前記代表的標本によって示されるよりも高い割合の人口統計特色を示す視聴者を引付けるテレビ番組に対する視聴者嗜好に基づく前記視聴者の各人口統計特色を予測する予測モデルに従って各前記視聴者の嗜好を示す情報を処理するステップを含む、請求項１９に記載の方法。
【請求項２１】
前記一般母集団の前記代表的標本によって示されるよりも高い割合の前記人口統計特色を示す視聴者を引付けるテレビ番組に対する視聴者嗜好に基づく前記視聴者の各人口統計特色を予測する予測モデルに従って各前記視聴者の嗜好を示す情報を処理するステップは、
前記一般母集団の前記代表的標本によって示されるよりも高い割合の前記人口統計特色を示す視聴者を引付け、かつ前記一般母集団の前記代表的標本によって示されるよりも高い割合の他の人口統計特色を示す視聴者を引付ける他のテレビ番組との最小限の人口統計特色相関を示すテレビ番組に対する視聴者嗜好に基づく前記視聴者の各人口統計特色を予測する予測モデルに従って各前記視聴者の嗜好を示す情報を処理するステップをさらに含む、請求項２０に記載の方法。
【請求項２２】
前記複数の視聴者の各々の嗜好を示す情報を処理して各前記視聴者に対する人口統計情
報を発展させるステップは、視聴者人口統計情報に従って各前記視聴者に対するテレビ番組視聴嗜好プロファイルを発展させるステップをさらに含む、請求項１８に記載の方法。
【請求項２３】
前記複数の視聴者の各々の嗜好を示す情報を処理して各前記視聴者に対するテレビ番組視聴嗜好プロファイルを発展させるステップは、前記複数の視聴者の各々の嗜好を示す情報を処理して各前記視聴者に対する複数のテレビ番組視聴嗜好プロファイルを発展させるステップをさらに含む、請求項１０または２２に記載の方法。
【請求項２４】
前記複数の視聴者の各々の嗜好を示す情報を処理して各前記視聴者に対する複数のテレビ番組視聴嗜好プロファイルを発展させるステップは、前記複数の視聴者の各々の嗜好を示す情報を処理して各前記視聴者に対する複数のテレビ番組視聴嗜好プロファイルを発展させるステップを含み、各プロファイルは異なる時間帯、曜日、または季節における前記視聴者の前記テレビ番組視聴嗜好を記述する、請求項２３に記載の方法。
【請求項２５】
前記複数の視聴者の各々の嗜好を示す情報を処理して各前記視聴者に対するテレビ番組視聴嗜好プロファイルを発展させるステップは、同じテレビ機器にアクセスする複数の視聴者の各々の嗜好を示す情報を処理して各前記視聴者に対する複数のテレビ番組視聴嗜好プロファイルを発展させるステップをさらに含む、請求項１０または２２に記載の方法。
【請求項２６】
ビデオ番組編成セグメントの集合を構成するステップは、同じテレビ機器にアクセスする前記視聴者に対してビデオ番組編成セグメントの集合を構成し、前記ビデオ番組編成セグメントの少なくとも１つは複数の利用可能なビデオ番組編成セグメントから選択されて見掛け上線形の番組を生成して、前記視聴者の特徴情報に従って前記視聴者に線形配送されるステップを含む、請求項２５に記載の方法。
【請求項２７】
各視聴者に対してビデオ番組編成セグメントの集合を構成するステップは、
各視聴者に対してビデオ番組編成セグメントの集合を構成し、前記ビデオ番組編成セグメントの少なくとも１つは複数の利用可能なビデオ番組編成セグメントから選択され、前記視聴者の前記テレビ番組視聴嗜好プロファイルに従って録画されるステップを含む、請求項１０または２２に記載の方法。
【請求項２８】
ビデオ番組編成セグメントの集合を構成するステップは、広告、娯楽、ニュース、天気、金融、スポーツ、教育、および買物番組編成を含むビデオ番組編成セグメントの群から選択されるビデオ番組編成セグメントの集合を構成するステップを含む、請求項１に記載の方法。
【請求項２９】
ビデオ番組編成セグメントの集合を構成するステップは、各視聴者に対してビデオ番組編成セグメントの集合を構成し、前記ビデオ番組編成セグメントの少なくとも１つは複数の利用可能なビデオ番組編成セグメントから選択され、前記視聴者特徴情報に従って録画されるステップをさらに含む、請求項２８に記載の方法。
【請求項３０】
ビデオ番組編成セグメントの集合を構成するステップは、各視聴者に対してビデオ番組編成セグメントの集合を構成し、前記ビデオ番組編成セグメントの少なくとも１つは複数の利用可能なビデオ番組編成セグメントから選択され、見掛け上線形の番組を生成して、前記視聴者特徴情報に従って少なくとも１つの専用チャンネルで前記視聴者に線形配送される、請求項２８に記載の方法。
【請求項３１】
ビデオ番組編成セグメントの集合を構成するステップは、ユーザに前記ビデオ番組編成セグメントの集合のリストを提供してユーザがそこから選択するようにするステップをさらに含む、請求項２８に記載の方法。
【請求項３２】
ビデオ番組編成セグメントの集合を構成するステップは、複数の利用可能なビデオ番組編成セグメントから１つ以上の前記ビデオ番組編成セグメントを選択して見掛け上線形の番組を生成して前記視聴者に線形配送するステップをさらに含み、前記番組は、前記視聴者特徴情報に従ってカスタマイズされたコンテンツを示す、請求項１に記載の方法。
【請求項３３】
ビデオ番組編成セグメントの集合を構成するステップは、複数の利用可能なビデオ番組編成セグメントから１つ以上の前記ビデオ番組編成セグメントを選択して見掛け上線形の番組を生成して前記視聴者に線形配送するステップをさらに含み、前記番組は、前記視聴者特徴情報にターゲット決めされたコンテンツを示す、請求項１に記載の方法。
【請求項３４】
１つ以上の前記ビデオ番組編成セグメントを選択するステップは、複数の利用可能なビデオ番組編成セグメントから１つ以上の前記ビデオ番組編成セグメントを選択して見掛け上線形の番組を生成して前記視聴者に線形配送するステップを含み、前記番組は、前記ビデオ番組編成セグメントのプロバイダによって前記視聴者特徴情報にターゲット決めされたコンテンツを示す、請求項３３に記載の方法。
【請求項３５】
ビデオ番組編成セグメントの集合を構成するステップは、複数の利用可能なビデオ番組編成セグメントから１つ以上の前記ビデオ番組編成セグメントを選択して見掛け上線形の番組を生成して前記視聴者に線形配送するステップをさらに含み、前記番組は、視聴者テレビ番組視聴嗜好プロファイルに従ってカスタマイズされたコンテンツを示す、請求項１０に記載の方法。
【請求項３６】
ビデオ番組編成セグメントの集合を構成するステップは、複数の利用可能なビデオ番組編成セグメントから１つ以上の前記ビデオ番組編成セグメントを選択して見掛け上線形の番組を生成して前記視聴者に線形配送するステップをさらに含み、前記番組は、視聴者テレビ番組視聴嗜好プロファイルにターゲット決めされたコンテンツを示す、請求項１０に記載の方法。
【請求項３７】
１つ以上の前記ビデオ番組編成セグメントを選択するステップは、複数の利用可能なビデオ番組編成セグメントから１つ以上の前記ビデオ番組編成セグメントを選択して見掛け上線形の番組を生成して前記視聴者に線形配送するステップを含み、前記番組は、前記ビデオ番組編成セグメントのプロバイダによって前記視聴者テレビ番組視聴嗜好プロファイルにターゲット決めされたコンテンツを示す、請求項３６に記載の方法。
【請求項３８】
１つ以上の前記ビデオ番組編成セグメントを選択するステップは、複数の利用可能な広告ビデオ番組編成セグメントから１つ以上の前記ビデオ番組編成セグメントを選択して見掛け上線形の番組を生成して前記視聴者に線形配送するステップを含み、前記番組は、前記広告ビデオ番組編成セグメントのプロバイダによって前記視聴者テレビ番組視聴嗜好プロファイルにターゲット決めされた広告コンテンツを示す、請求項３７に記載の方法。
【請求項３９】
ビデオ番組編成セグメントの集合を構成するステップは、複数の利用可能なビデオ番組編成セグメントから１つ以上の前記ビデオ番組編成セグメントを選択して見掛け上線形の番組を生成して前記視聴者に線形配送するステップをさらに含み、前記番組は、視聴者人口統計情報に従ってカスタマイズされたコンテンツを示す、請求項１８に記載の方法。
【請求項４０】
ビデオ番組編成セグメントの集合を構成するステップは、複数の利用可能なビデオ番組編成セグメントから１つ以上の前記ビデオ番組編成セグメントを選択して見掛け上線形の番組を生成して前記視聴者に線形配送するステップをさらに含み、前記番組は、視聴者人口統計情報にターゲット決めされたコンテンツを示す、請求項１８に記載の方法。
【請求項４１】
１つ以上の前記ビデオ番組編成セグメントを選択するステップは、複数の利用可能なビデオ番組編成セグメントから１つ以上の前記ビデオ番組編成セグメントを選択して見掛け上線形の番組を生成して前記視聴者に線形配送するステップを含み、前記番組は、前記ビデオ番組編成セグメントのプロバイダによって前記視聴者人口統計情報にターゲット決めされたコンテンツを示す、請求項４０に記載の方法。
【請求項４２】
１つ以上の前記ビデオ番組編成セグメントを選択するステップは、複数の利用可能な広告ビデオ番組編成セグメントから１つ以上の前記ビデオ番組編成セグメントを選択して見掛け上線形の番組を生成して前記視聴者に線形配送するステップを含み、前記番組は、前記広告ビデオ番組編成セグメントのプロバイダによって前記視聴者人口統計情報にターゲット決めされた広告コンテンツを示す、請求項４１に記載の方法。
【請求項４３】
ビデオ番組編成セグメントの集合を構成するステップは、広告、娯楽、ニュース、天気、金融、スポーツ、教育、および買物番組編成を含むビデオ番組編成セグメントの群から選択されるビデオ番組編成セグメントの集合を構成するステップを含む、請求項３２、３３、３５または３９に記載の方法。
【請求項４４】
複数の個別の視聴者の各々にカスタマイズした線形ビデオ番組編成を配送するためのシステムであって、
前記複数の視聴者の各々の嗜好を示す情報を処理して各前記視聴者に対する視聴者特徴情報を発展させるためのプロセッサと、
同じ構想の複数の変形から選択される構想を含む見掛け上線形の番組を生成して、前記視聴者特徴情報に従って前記視聴者に線形配送するように、各視聴者に対してビデオ番組編成セグメントの集合を構成するためのプログラマとを含む、システム。
【請求項４５】
前記プログラマは、複数の放送ビデオ番組編成セグメントから少なくとも１つのセグメント、および記憶媒体に記憶される複数のセグメントから少なくとも１つのセグメントを選択して、前記ビデオセグメントの放送と同時に前記視聴者に線形配送して前記見掛け上線形の番組を生成するようにさらに構成される、請求項４４に記載のシステム。
【請求項４６】
前記プロセッサは、前記複数の視聴者の各々のテレビ番組視聴嗜好、前記複数の視聴者の各々が見るテレビ番組、前記複数の視聴者の各々によって録画されるテレビ番組、前記複数の視聴者の各々が見ないテレビ番組、前記複数の視聴者の各々によって要求されるテレビ番組ガイド情報、前記複数の視聴者の各々によって要求されないテレビ番組ガイド情報、問合せに応じて各前記視聴者から与えられる前記複数の視聴者の各々の嗜好、前記複数の視聴者の各々のテレビ番組視聴嗜好以外の嗜好、前記複数の視聴者の各々の音楽の嗜好、前記複数の視聴者の各々の読書の嗜好、前記複数の視聴者の各々の読書の嗜好、ならびにオンライン音楽クラブ、オンライン本クラブ、オンライン特別な趣味のクラブおよび組織、ならびにオンライン小売業者および貿易業者を含むソースの群から取得される前記複数の視聴者の各々のテレビ番組視聴嗜好以外の嗜好、のうち少なくとも１つを示す情報を処理するようにさらに構成される、請求項４４に記載のシステム。
【請求項４７】
前記プロセッサは電子番組ガイド情報を処理するようにさらに構成される、請求項４６に記載のシステム。
【請求項４８】
前記プロセッサは、前記複数の視聴者の各々の嗜好を示す情報を処理して各前記視聴者に対するテレビ番組視聴嗜好プロファイルを発展させるようにさらに構成される、請求項４４に記載のシステム。
【請求項４９】
前記プロセッサは、一般母集団の代表的標本の視聴習慣に基づく予測モデルに従って前記複数の視聴者の各々の嗜好を示す情報を処理して各前記視聴者に対するテレビ番組視聴嗜好プロファイルを発展させるようにさらに構成される、請求項４８に記載のシステム。
【請求項５０】
前記プロセッサは、前記予測モデルのパラメータに対する最大事後確率値を計算して各視聴者に対するテレビ番組視聴嗜好を予測するためのベイズネットワークをさらに含む、請求項４９に記載のシステム。
【請求項５１】
前記プロセッサは、前記複数の視聴者の各々の嗜好を示す情報を処理することによって各視聴者の隠れた特色および各視聴者の関連する特色のうち少なくとも１つを演繹するようにさらに構成される、請求項４８に記載のシステム。
【請求項５２】
前記プロセッサは、各前記視聴者に対して発展された前記テレビ番組視聴嗜好プロファイルを処理して各前記視聴者に対する人口統計情報を発展させるようにさらに構成される、請求項４８に記載のシステム。
【請求項５３】
前記プロセッサは、一般母集団の代表的標本の視聴習慣に基づく予測モデルに従って各前記視聴者に対して発展された前記テレビ番組視聴嗜好プロファイルを処理して各前記視聴者に対する人口統計情報を発展させるようにさらに構成される、請求項５２に記載のシステム。
【請求項５４】
前記プロセッサは、前記一般母集団の前記代表的標本によって示されるよりも高い割合の人口統計特色を示す視聴者を引付けるテレビ番組に対する視聴者嗜好に基づく前記視聴者の各人口統計特色を予測する予測モデルに従って各前記視聴者に対して発展された前記テレビ番組視聴嗜好プロファイルを処理するようにさらに構成される、請求項５３に記載のシステム。
【請求項５５】
前記プロセッサは、前記一般母集団の前記代表的標本によって示されるよりも高い割合の前記人口統計特色を示す視聴者を引付け、かつ前記一般母集団の前記代表的標本によって示されるよりも高い割合の他の人口統計特色を示す視聴者を引付ける他のテレビ番組との最小限の人口統計特色相関を示すテレビ番組に対する視聴者嗜好に基づく前記視聴者の各人口統計特色を予測する予測モデルに従って各前記視聴者に対して発展された前記テレビ番組視聴嗜好プロファイルを処理するようにさらに構成される、請求項５４に記載のシステム。
【請求項５６】
前記プロセッサは、前記複数の視聴者の各々の嗜好を示す情報を処理して各前記視聴者に対する人口統計情報を発展させるようにさらに構成される、請求項４４に記載のシステム。
【請求項５７】
前記プロセッサは、一般母集団の代表的標本の視聴習慣に基づく予測モデルに従って各前記視聴者の嗜好を示す情報を処理して各前記視聴者に対する人口統計情報を発展させるようにさらに構成される、請求項５６に記載のシステム。
【請求項５８】
前記プロセッサは、前記一般母集団の前記代表的標本によって示されるよりも高い割合の人口統計特色を示す視聴者を引付けるテレビ番組に対する視聴者嗜好に基づく前記視聴者の各人口統計特色を予測する予測モデルに従って各前記視聴者の嗜好を示す情報を処理するようにさらに構成される、請求項５７に記載のシステム。
【請求項５９】
前記プロセッサは、前記一般母集団の前記代表的標本によって示されるよりも高い割合の前記人口統計特色を示す視聴者を引付け、かつ前記一般母集団の前記代表的標本によっ
て示されるよりも高い割合の他の人口統計特色を示す視聴者を引付ける他のテレビ番組との最小限の人口統計特色相関を示すテレビ番組に対する視聴者嗜好に基づく前記視聴者の各人口統計特色を予測する予測モデルに従って各前記視聴者の嗜好を示す情報を処理するようにさらに構成される、請求項５８に記載のシステム。
【請求項６０】
前記プロセッサは、視聴者人口統計情報に従って各前記視聴者に対するテレビ番組視聴嗜好プロファイルを発展させるようにさらに構成される、請求項５６に記載のシステム。
【請求項６１】
前記プロセッサは、前記複数の視聴者の各々の嗜好を示す情報を処理して各前記視聴者に対する複数のテレビ番組視聴嗜好プロファイルを発展させるようにさらに構成される、請求項４８または６０に記載のシステム。
【請求項６２】
前記プロセッサは、前記複数の視聴者の各々の嗜好を示す情報を処理して各前記視聴者に対する複数のテレビ番組視聴嗜好プロファイルを発展させるようにさらに構成され、各プロファイルは、異なる時間帯、曜日、または季節における前記視聴者の前記テレビ番組視聴嗜好を記述する、請求項６１に記載のシステム。
【請求項６３】
前記プロセッサは、同じテレビ機器にアクセスする複数の視聴者の各々の嗜好を示す情報を処理して各前記視聴者に対する複数のテレビ番組視聴嗜好プロファイルを発展させるようにさらに構成される、請求項４８または６０に記載のシステム。
【請求項６４】
前記プログラマは、同じテレビ機器にアクセスする前記視聴者に対してビデオ番組編成セグメントの集合を構成し、前記ビデオ番組編成セグメントの少なくとも１つは複数の利用可能なビデオ番組編成セグメントから選択されて見掛け上線形の番組を生成して前記視聴者の特徴情報に従って前記視聴者に線形配送されるようにさらに構成される、請求項６３に記載のシステム。
【請求項６５】
前記プログラマは、各視聴者に対してビデオ番組編成セグメントの集合を構成し、前記ビデオ番組編成セグメントの少なくとも１つは複数の利用可能なビデオ番組編成セグメントから選択されて前記視聴者の前記テレビ番組視聴嗜好プロファイルに従って録画されるようにさらに構成される、請求項４８または６０に記載のシステム。
【請求項６６】
前記プログラマは、広告、娯楽、ニュース、天気、金融、スポーツ、教育、および買物番組編成を含むビデオ番組編成セグメントの群から選択されるビデオ番組編成セグメントの集合を構成するようにさらに構成される、請求項４４に記載のシステム。
【請求項６７】
前記プログラマは、各視聴者に対してビデオ番組編成セグメントの集合を構成し、前記ビデオ番組編成セグメントの少なくとも１つは複数の利用可能なビデオ番組編成セグメントから選択されて前記視聴者特徴情報に従って録画されるようにさらに構成される、請求項６６に記載のシステム。
【請求項６８】
前記プログラマは、各視聴者に対してビデオ番組編成セグメントの集合を構成し、前記ビデオ番組編成セグメントの少なくとも１つは複数の利用可能なビデオ番組編成セグメントから選択されて見掛け上線形の番組を生成して前記視聴者特徴情報に従って少なくとも１つの専用チャンネルで前記視聴者に線形配送されるようにさらに構成される、請求項６６に記載のシステム。
【請求項６９】
前記プログラマは、ユーザに前記ビデオ番組編成セグメントの集合のリストを提供してユーザがそこから選択するようにさらに構成される、請求項６６に記載のシステム。
【請求項７０】
前記プログラマは、複数の利用可能なビデオ番組編成セグメントから１つ以上の前記ビデオ番組編成セグメントを選択して見掛け上線形の番組を生成して前記視聴者に線形配送するようにさらに構成され、前記番組は、前記視聴者特徴情報に従ってカスタマイズされたコンテンツを示す、請求項４４に記載のシステム。
【請求項７１】
前記プログラマは、複数の利用可能なビデオ番組編成セグメントから１つ以上の前記ビデオ番組編成セグメントを選択して見掛け上線形の番組を生成して前記視聴者に対して線形配送するようにさらに構成され、前記番組は、前記視聴者特徴情報にターゲット決めされたコンテンツを示す、請求項４４に記載のシステム。
【請求項７２】
前記プログラマは、複数の利用可能なビデオ番組編成セグメントから１つ以上の前記ビデオ番組編成セグメントを選択して見掛け上線形の番組を生成して前記視聴者に対して線形配送するようにさらに構成され、前記番組は、前記ビデオ番組編成セグメントのプロバイダによって前記視聴者特徴情報にターゲット決めされたコンテンツを示す、請求項７１に記載のシステム。
【請求項７３】
前記プログラマは、複数の利用可能なビデオ番組編成セグメントから１つ以上の前記ビデオ番組編成セグメントを選択して見掛け上線形の番組を生成して前記視聴者に対して線形配送するようにさらに構成され、前記番組は、視聴者テレビ番組視聴嗜好プロファイルに従ってカスタマイズされたコンテンツを示す、請求項４８に記載のシステム。
【請求項７４】
前記プログラマは、複数の利用可能なビデオ番組編成セグメントから１つ以上の前記ビデオ番組編成セグメントを選択して見掛け上線形の番組を生成して前記視聴者に対して線形配送するようにさらに構成され、前記番組は、視聴者テレビ番組視聴嗜好プロファイルにターゲット決めされたコンテンツを示す、請求項４８に記載のシステム。
【請求項７５】
前記プログラマは、複数の利用可能なビデオ番組編成セグメントから１つ以上の前記ビデオ番組編成セグメントを選択して見掛け上線形の番組を生成して前記視聴者に対して線形配送するようにさらに構成され、前記番組は、前記ビデオ番組編成セグメントのプロバイダによって前記視聴者テレビ番組視聴嗜好プロファイルにターゲット決めされたコンテンツを示す、請求項７４に記載のシステム。
【請求項７６】
前記プログラマは、複数の利用可能な広告ビデオ番組編成セグメントから１つ以上の前記ビデオ番組編成セグメントを選択して見掛け上線形の番組を生成して前記視聴者に対して線形配送するようにさらに構成され、前記番組は、前記広告ビデオ番組編成セグメントのプロバイダによって前記視聴者テレビ番組視聴嗜好プロファイルにターゲット決めされた広告コンテンツを示す、請求項７５に記載のシステム。
【請求項７７】
前記プログラマは、複数の利用可能なビデオ番組編成セグメントから１つ以上の前記ビデオ番組編成セグメントを選択して見掛け上線形の番組を生成して前記視聴者に対して線形配送するようにさらに構成され、前記番組は、視聴者人口統計情報に従ってカスタマイズされたコンテンツを示す、請求項５６に記載のシステム。
【請求項７８】
前記プログラマは、複数の利用可能なビデオ番組編成セグメントから１つ以上の前記ビデオ番組編成セグメントを選択して見掛け上線形の番組を生成して前記視聴者に対して線形配送するようにさらに構成され、前記番組は、視聴者人口統計情報にターゲット決めされたコンテンツを示す、請求項５６に記載のシステム。
【請求項７９】
前記プログラマは、複数の利用可能なビデオ番組編成セグメントから１つ以上の前記ビデオ番組編成セグメントを選択して見掛け上線形の番組を生成して前記視聴者に対して線
形配送するようにさらに構成され、前記番組は、前記ビデオ番組編成セグメントのプロバイダによって前記視聴者人口統計情報にターゲット決めされたコンテンツを示す、請求項７８に記載のシステム。
【請求項８０】
前記プログラマは、複数の利用可能な広告ビデオ番組編成セグメントから１つ以上の前記ビデオ番組編成セグメントを選択して見掛け上線形の番組を生成して前記視聴者に対して線形配送するようにさらに構成され、前記番組は、前記広告ビデオ番組編成セグメントのプロバイダによって前記視聴者人口統計情報にターゲット決めされた広告コンテンツを示す、請求項７９に記載のシステム。
【請求項８１】
前記プログラマは、広告、娯楽、ニュース、天気、金融、スポーツ、教育、および買物番組編成を含むビデオ番組編成セグメントの群から選択されるビデオ番組編成セグメントの集合を構成するようにさらに構成される、請求項７０、７１、７３または７７に記載のシステム。
【請求項８２】
少なくとも一人のユーザにカスタマイズした線形番組編成を配送する方法であって、
複数の番組編成構想を含む少なくとも１つの番組編成ストリームを放送するステップを含み、各々の構想は複数の相互に関連するシーンを含み、前記複数の構想のうち２つ以上は１つ以上のシーンを共通に有し、さらに
前記ユーザの特徴情報に基づいて、放送される前記番組編成ストリームから１組のシーンを選択することにより前記複数の構想のうち好ましい１つの少なくとも一部を再生成するステップを含む、方法。
【請求項８３】
少なくとも一人のユーザにカスタマイズした線形番組編成を配送する方法であって、
複数の番組編成構想を含む少なくとも１つの番組編成ストリームを放送するステップを含み、各々の構想は複数の相互に関連するシーンを含み、前記複数の構想の２つ以上は１つ以上のシーンを共通に有し、さらに
前記ユーザの特徴情報に基づいて、前記番組編成ストリームの中で好ましい構想を構成する複数のシーンの中から１組のシーンを選択することによって、放送される前記番組編成ストリームから前記２つ以上の構想のうち好ましい１つの少なくとも一部を再生成するステップを含む、方法。
【請求項８４】
前記複数の番組編成構想のうち少なくとも２つの構想は互いに対して継目のない代替形であり、かつ前記２つの構想の間の変化による必要に応じて、または前記２つの代替的な構想の論理的および／もしくは時間的な展開の結果として少なくとも１つの共通のシーンおよび１つ以上の相互に排他的なシーンを有する、請求項８２または８３に記載の方法。
【請求項８５】
別のユーザの特徴情報に基づいて、別の組のシーンを選択して別の構想の少なくとも一部を形成するステップをさらに含む、請求項８２または８３に記載の方法。
【請求項８６】
記憶媒体から少なくとも１つのシーンを選択して好ましい構想の一部を補うステップをさらに含む、請求項８２または８３に記載の方法。
【請求項８７】
前記ユーザの嗜好を示す情報から前記ユーザの前記特徴情報を得るステップをさらに含む、請求項８２または８３に記載の方法。
【請求項８８】
番組視聴嗜好プロファイルを発展させるステップと、前記番組視聴嗜好プロファイルに基づいて前記ユーザの前記特徴情報を定めるステップとをさらに含む、請求項８２または８３に記載の方法。
【請求項８９】
複数の個別の視聴者の各々にカスタマイズした線形ビデオ番組編成を配送する方法であって、
ビデオ番組編成の少なくとも２つの同時ストリームを受信するステップを含み、各々の番組編成ストリームは別個の代替的なビデオ番組編成セグメントの集合を含み、前記ビデオ番組編成セグメントは互いに関係のない複数のコンテンツ要素を規定し、さらに
各々のビデオ番組編成ストリームを別個のビデオ番組編成セグメントのその構成要素の集合に細分化し、これにより前記ビデオ番組編成セグメントを順次表示することにより見掛け上線形のビデオ番組が生じるようにするステップと、
前記複数の視聴者の各々の嗜好を示す情報を処理して各前記視聴者に対する視聴者特徴ターゲット情報を発展させるステップと、
視聴者特徴情報に基づいて前記ビデオ番組編成ストリームの各々から別個の代替的ビデオ番組編成セグメントの特定のものを選択するステップと、
各々の視聴者毎に選択された前記代替的ビデオ番組編成セグメントを構成し、これにより１つの番組編成ストリームのコンテンツ要素が各前記視聴者に対する前記視聴者特徴ターゲット情報を満たし、かつ各前記視聴者に対する前記視聴者特徴ターゲット情報も満たす他の番組編成ストリームの関係のないコンテンツ要素が散在するようにするステップと、
前記ビデオ番組編成ストリームの各々からの前記選択された代替的ビデオ番組編成セグメントをカスタマイズされた見掛け上線形の番組に組立てて、これを前記視聴者特徴情報に従って前記複数の視聴者の各々に線形配送するステップとを含み、前記組立ては、前記見掛け上線形の番組が所与の期間内に進行する限り、前記選択された代替的ビデオ番組編成セグメントのうちいずれの１つの特徴的な持続時間とも関係なく行なわれる、方法。
【請求項９０】
ビデオ番組編成セグメントの集合を構成するステップは、記憶媒体に記憶される複数の番組編成セグメントおよび複数の放送番組編成セグメントのうち一方から少なくとも１つのビデオ番組編成セグメントを選択するステップと、選択された前記ビデオ番組編成セグメントをビデオ番組編成シーケンスに挿入して前記見掛け上線形の番組を生成するステップとをさらに含む、請求項８９に記載の方法。
【請求項９１】
複数の個別の視聴者の各々にカスタマイズした線形ビデオ番組編成コンテンツを配送するシステムであって、
ビデオ番組編成の少なくとも２つの同時ストリームを受信するための受信機を含み、各々の番組編成ストリームは別個の代替的ビデオ番組編成セグメントの集合を含み、前記ビデオ番組編成セグメントは互いに関係のない複数のコンテンツ要素を規定し、さらに
前記複数の視聴者の各々の嗜好を示す情報を処理して各前記視聴者に対する視聴者特徴ターゲット情報を発展させるプロセッサと、
各々の線形ビデオ番組シーケンスを別個のビデオ番組編成セグメントのその構成要素の集合に細分化するように動作するプログラマと、視聴者特徴情報に基づいてビデオ番組編成ストリームの各々から前記別個の代替的ビデオ番組編成セグメントの特定のものを選択するための手段と、１つの番組編成ストリームのコンテンツ要素が各前記視聴者に対する前記視聴者特徴ターゲット情報を満たし、かつ各々の視聴者毎に選択された前記代替的ビデオ番組編成セグメントを構成して、これにより各前記視聴者に対する前記視聴者特徴ターゲット情報も満たす少なくとも１つの他の番組編成ストリームの関係のないコンテンツ要素が散在するようにするための手段と、
前記ビデオ番組編成ストリームの各々からの前記選択された代替的ビデオ番組編成セグメントをカスタマイズされた見掛け上線形の番組に組立てて、前記視聴者特徴情報に従って前記複数の視聴者の各々に線形配送するための手段とを含む、システム。
【請求項９２】
前記プログラマは、記憶媒体に記憶される複数の番組編成セグメントおよび複数の放送番組編成セグメントのうち一方から少なくとも１つのビデオ番組編成セグメントを選択し
、選択された前記ビデオ番組編成セグメントをビデオ番組編成シーケンスに挿入して前記見掛け上線形の番組を生成するプログラマをさらに含む、請求項９１に記載のシステム。
【請求項９３】
少なくとも一人のユーザにカスタマイズした線形ビデオ番組編成を配送するシステムであって、
ビデオ番組編成の少なくとも１つの放送ストリームを受信するための受信機を含み、前記放送ストリームは複数の番組編成構想を含み、各々の構想は複数の相互に関連するシーンを含み、前記複数の構想のうち２つ以上は１つ以上のシーンを共通に有し、さらに
前記ユーザの特徴情報に基づいて放送番組編成ストリームから１組のシーンを選択することにより、前記複数の構想のうち好ましい１つの少なくとも一部を再生成するための番組編成コントローラを含む、システム。
【請求項９４】
少なくとも一人のユーザにカスタマイズした線形ビデオ番組編成を配送するシステムであって、
複数の番組編成構想を含む少なくとも１つの番組編成ストリームを受信するための受信機を含み、各々の構想は複数の相互に関連のあるシーンを含み、前記複数の構想のうち２つ以上は１つ以上のシーンを共通に有し、さらに
前記ユーザの特徴情報に基づいて、前記番組編成ストリームの中で好ましい構想を構成する前記複数のシーンの中から１組のシーンを選択することによって、放送番組編成ストリームから前記２つ以上の構想のうち好ましい１つの少なくとも一部を再生成するための番組編成コントローラを含む、システム。
【請求項９５】
少なくとも一人のユーザにカスタマイズした線形番組編成を配送するための方法であって、
複数のシーンを含む少なくとも１つの番組編成ストリームを放送するステップを含み、前記複数のシーンは複数の交互の構想を形成するように構成可能であり、各々の構想は複数の相互に関連のあるシーンを含み、さらに
前記ユーザの特徴情報に基づいて、前記番組編成ストリームの前記複数のシーンから第１の組のシーンを選択して第１の構想の少なくとも一部を形成するステップを含む、方法。
【請求項９６】
前記複数のシーンは第２の構想の少なくとも一部を形成するように構成可能な第２の組のシーンを含み、前記第２の構想は前記第１の構想に対して継目のない代替形であり、かつ前記第１の構想と共通の少なくとも１つのシーンを有する、請求項９５に記載の方法。
【請求項９７】
前記第１の組のシーンのうち少なくとも１つおよび前記第２の組のシーンのうち少なくとも１つは、前記第１の構想と前記第２の構想との間の変化による必要に応じて、または前記第１および第２の構想のうち１つの論理的展開の結果として、相互に排他的である、請求項９６に記載の方法。
【請求項９８】
別のユーザの特徴情報に基づいて、前記第２の組のシーンを選択して前記第２の構想の少なくとも一部を形成するステップをさらに含む、請求項９６に記載の方法。
【請求項９９】
記憶媒体に記憶された少なくとも１つのシーンを選択して、前記第１の構想の前記一部または前記第２の構想の前記一部を補うステップをさらに含む、請求項９６に記載の方法。
【請求項１００】
前記ユーザの前記特徴情報は、前記ユーザの嗜好を示す情報を処理することから得られる、請求項９６に記載の方法。
【請求項１０１】
前記ユーザについて番組視聴嗜好プロファイルを発展させるステップをさらに含み、そこから前記特徴情報を得ることができる、請求項９６に記載の方法。
【請求項１０２】
前記ユーザについて前記番組視聴嗜好プロファイルを発展させるステップは、母集団の標本の視聴習慣に基づいて前記ユーザについての予測モデルを構築するステップを含む、請求項１０１に記載の方法。
【請求項１０３】
前記予測モデルを構築するステップは、ベイズ統計を用いて事後確率を計算するステップを含む、請求項１０２に記載の方法。
【請求項１０４】
前記番組編成ストリームは複数の広告セグメントをさらに含み、前記方法は、
前記ユーザの特徴情報に基づいて記憶媒体および前記少なくとも１つの番組編成ストリームのうち少なくとも一方から第１の広告セグメントの集合を選択するステップをさらに含み、前記第１の広告セグメントの集合は前記第１の組のシーンに散在する、請求項９６に記載の方法。
【請求項１０５】
別のユーザの特徴情報に基づいて記憶媒体および前記少なくとも１つの番組編成ストリームのうち少なくとも一方から第２の広告セグメントの集合を選択するステップをさらに含み、前記第２の広告セグメントの集合は前記第２の組のシーンに散在する、請求項１０４に記載の方法。
【請求項１０６】
前記少なくとも１つの共通のシーンは前記第１の構想と前記第２の構想との両者の始まりのシーンである、請求項９６に記載の方法。
【請求項１０７】
前記第１の構想および前記第２の構想は実質的に長さが等しい、請求項９６に記載の方法。
【請求項１０８】
前記第１の組のシーンおよび前記第２の組のシーンは２つの異なる番組編成ストリームで同時に放送される、請求項９６に記載の方法。
【請求項１０９】
少なくとも一人のユーザにカスタマイズした線形ビデオ番組編成を配送するシステムであって、
ビデオ番組編成の少なくとも１つの放送ストリームを受信するための受信機を含み、前記放送ストリームは複数のシーンを含み、前記複数のシーンは複数の構想を形成するように構成可能であり、各々の構想は相互に関連のあるシーンを含み、さらに
前記ユーザの特徴情報に基づいて前記複数のシーンから第１の組のシーンを選択して第１の構想の少なくとも一部を形成するための番組編成コントローラを含み、
前記複数のシーンは第２の構想の少なくとも一部を形成するように構成可能な第２の組のシーンを含み、前記第２の構想は前記第１の構想に対する継目のない代替形であり、かつ前記第１の構想と共通の少なくとも１つのシーンを有する、システム。
【請求項１１０】
前記第１の組のシーンのうち少なくとも１つおよび前記第２の組のシーンのうち少なくとも１つは、前記第１の構想と前記第２の構想との間の変化による必要に応じて、または前記第１および第２の構想のうち１つの論理的展開の結果として、相互に排他的である、請求項１０９に記載のシステム。
【請求項１１１】
別のユーザの特徴情報に基づいて前記第２の組のシーンを選択して前記第２の構想の少なくとも一部を形成するための手段をさらに含む、請求項１０９に記載のシステム。
【請求項１１２】
記憶媒体をさらに含み、前記記憶媒体に少なくとも１つのシーンが記憶され、かつ前記
第１の構想の前記一部または前記第２の構想の前記一部を補うように用いられる、請求項１０９に記載のシステム。
【請求項１１３】
前記ユーザの嗜好を示す情報を処理して前記特徴情報を得るプロセッサをさらに含む、請求項１０９に記載のシステム。
【請求項１１４】
前記ユーザについてテレビ番組視聴嗜好プロファイルを発展させるプロセッサをさらに含み、このプロセッサから前記特徴情報を得ることができる、請求項１０９に記載のシステム。
【請求項１１５】
前記プロセッサは、母集団の標本の視聴習慣に基づいて前記ユーザについての予測モデルを構築するように適合される、請求項１１４に記載のシステム。
【請求項１１６】
前記プロセッサはベイズ統計を用いて事後確率を計算するように適合される、請求項１１５に記載のシステム。
【請求項１１７】
前記少なくとも１つの番組編成ストリームは複数の広告セグメントをさらに含み、前記システムは、
記憶媒体と、
前記ユーザの特徴情報に基づいて前記記憶媒体および前記少なくとも１つのビデオ番組編成ストリームのうち少なくとも一方から第１の広告セグメントの集合を選択するための手段とをさらに含み、前記第１の広告セグメントの集合は前記第１の組のシーンに散在する、請求項１０９に記載のシステム。
【請求項１１８】
別のユーザの特徴情報に基づいて前記記憶媒体および前記少なくとも１つのビデオ番組編成ストリームのうち少なくとも一方から第２の広告セグメントの集合を選択するための手段をさらに含み、前記第２の広告セグメントの集合は前記第２の組のシーンに散在する、請求項１１７に記載のシステム。
【請求項１１９】
前記少なくとも１つの共通のシーンは前記第１の構想と前記第２の構想との両者の始まりのシーンである、請求項１０９に記載のシステム。
【請求項１２０】
前記第１の構想および前記第２の構想は実質的に長さが等しい、請求項１０９に記載のシステム。
【請求項１２１】
前記第１の組のシーンおよび前記第２の組のシーンは２つの異なる番組編成ストリームで同時に放送される、請求項１０９に記載のシステム。
【請求項１２２】
複数の個別の視聴者の各々にカスタマイズした線形ビデオ番組編成を配送する方法であって、
ビデオ番組編成の複数の放送ストリームを受信するステップを含み、各々の番組編成ストリームは別個の代替的ビデオ番組編成セグメントを含み、さらに
前記複数の視聴者の各々の嗜好を示す情報を処理して各前記視聴者に対する視聴者特徴情報を発展させるステップと、
前記視聴者特徴情報に基づいて各々のビデオ番組編成ストリームから前記別個の代替的ビデオ番組編成セグメントの特定のものを選択するステップと、
少なくとも一人の視聴者について選択された前記代替的ビデオ番組編成セグメントを構成して、これにより１つの番組編成ストリームのコンテンツ要素が各前記視聴者に対する視聴者特徴ターゲット情報を満たすようにするステップと、
前記ビデオ番組編成ストリームからの前記選択された代替的ビデオ番組編成セグメント
を、カスタマイズされた見掛け上線形の番組に組立てて、前記視聴者に配送するステップとを含む、方法。
【請求項１２３】
前記複数の視聴者の各々の嗜好を示す情報を処理するステップは、
一般母集団の代表的標本の視聴習慣および関連の特徴を表わす情報を得るステップと、
前記表わす情報を分析して前記視聴習慣と前記関連の特徴との間の関係を説明する予測モデルのパラメータを生成するステップとを含む、請求項１２２に記載の方法。
【請求項１２４】
前記表わす情報を分析するステップは、ベイズネットワークを構築して、前記予測モデルの前記パラメータの最大事後値を計算して、各々の視聴者についてテレビ番組視聴嗜好を予測するステップをさらに含む、請求項１２３に記載の方法。
【請求項１２５】
前記複数の視聴者の各々の嗜好を示す情報を処理するステップは、視聴者装置において前記パラメータを用いて個別の視聴者の視聴嗜好を予測するステップをさらに含む、請求項１２３に記載の方法。
【請求項１２６】
前記複数の視聴者の各々の嗜好を示す情報を処理するステップは、視聴者装置において前記パラメータを用いて、視聴習慣についての個人情報を外部に漏らすことなく、個別の視聴者の視聴嗜好を予測するステップを含む、請求項１２３に記載の方法。
【請求項１２７】
一方向通信チャネルを用いて予測モデルパラメータを視聴者装置に通信するステップをさらに含む、請求項１２６に記載の方法。
【請求項１２８】
ビデオ番組編成セグメントの集合を構成するステップはさらに、
各々の視聴者装置において前記パラメータを用いて個別の視聴者の視聴嗜好を予測するステップと、
各々の視聴者装置が、複数の利用可能なビデオ番組編成セグメントから選択された各視聴者毎の前記ビデオ番組編成セグメントの集合を構成して見掛け上線形の番組を生成して個別の視聴者の視聴嗜好に従って前記視聴者に線形配送するステップを含む、請求項１２７に記載の方法。
【請求項１２９】
ビデオ番組編成の少なくとも２つの同時ストリームを受信するステップを含み、各々の番組編成ストリームは別個の代替的ビデオ番組編成セグメントの集合を含み、前記ビデオ番組編成セグメントは互いに関係のない複数のコンテンツ要素を規定し、さらに
各々のビデオ番組編成ストリームを別個のビデオ番組編成セグメントのその構成要素の集合に細分化し、これにより前記ビデオ番組編成セグメントを順次表示することによって見掛け上線形のビデオ番組が生じるようにするステップと、
前記視聴者特徴情報に基づいて前記ビデオ番組編成ストリームの各々から前記別個の代替的ビデオ番組編成セグメントの特定のものを選択するステップとを含み、ビデオ番組編成セグメントの集合を構成するステップはさらに、
各視聴者毎に選択された前記代替的ビデオ番組編成セグメントを構成して、これにより１つの番組編成ストリームのコンテンツ要素が各前記視聴者に対する前記視聴者特徴ターゲット情報を満たし、かつ各前記視聴者に対する前記視聴者特徴ターゲット情報も満たす他の番組編成ストリームの関係のないコンテンツ要素が散在するようにするステップと、
前記ビデオ番組編成ストリームの各々からの前記選択された代替的ビデオ番組編成セグメントを、カスタマイズされた見掛け上線形の番組に組立てて、前記視聴者特徴情報に従って前記複数の視聴者の各々に線形配送するステップとを含み、前記組立ては、前記見掛け上線形の番組が所与の期間内に進行する限り、前記選択された代替的ビデオ番組編成セグメントのうちいずれの１つの特徴的な持続時間とも関係なく行なわれる、請求項１２３に記載の方法。
【請求項１３０】
前記複数の視聴者の各々の嗜好を示す情報を処理するステップは、前記複数の視聴者の各々が見るテレビ番組を示す情報を処理するステップをさらに含む、請求項１２２に記載の方法。
【請求項１３１】
前記複数の視聴者の各々の嗜好を示す情報を処理するステップは、前記複数の視聴者の各々によって録画されるテレビ番組を示す情報を処理するステップをさらに含む、請求項１２２に記載の方法。
【請求項１３２】
前記複数の視聴者の各々の嗜好を示す情報を処理するステップは、前記複数の視聴者の各々が見ないテレビ番組を示す情報を処理するステップをさらに含む、請求項１２２に記載の方法。
【請求項１３３】
前記複数の視聴者の各々の嗜好を示す情報を処理するステップは、前記複数の視聴者の各々によって要求されるテレビ番組ガイド情報を示す情報を処理するステップをさらに含む、請求項１２２に記載の方法。
【請求項１３４】
前記複数の視聴者の各々の嗜好を示す情報を処理するステップは、前記複数の視聴者の各々によって要求されないテレビ番組ガイド情報を示す情報を処理するステップをさらに含む、請求項１２２に記載の方法。
【請求項１３５】
前記複数の視聴者の各々の嗜好を示す情報を処理するステップは、前記複数の視聴者の各々の嗜好を示す情報を処理して各前記視聴者に対する人口統計情報を発展させることにより、各前記視聴者に対する視聴者特徴ターゲット情報を発展させるステップをさらに含む、請求項１２２に記載の方法。
【請求項１３６】
ビデオ番組編成セグメントの集合を構成するステップは、広告、娯楽、ニュース、天気、金融、スポーツ、教育、および買物番組編成を含むビデオ番組編成セグメントの群から選択されるビデオ番組編成セグメントの集合を構成するステップを含む、請求項１２２に記載の方法。
【請求項１３７】
ビデオ番組編成セグメントの集合を構成するステップは、複数の利用可能な代替的ビデオ番組編成セグメントから１つ以上の前記ビデオ番組編成セグメントを選択して見掛け上線形の番組を生成して前記視聴者に線形配送するステップをさらに含み、前記番組は、前記視聴者特徴情報に従ってカスタマイズされたコンテンツを示す、請求項１２２に記載の方法。
【請求項１３８】
ビデオ番組編成セグメントの集合を構成するステップは、複数の利用可能な代替的ビデオ番組編成セグメントから１つ以上の前記ビデオ番組編成セグメントを選択して見掛け上線形の番組を生成して前記視聴者に線形配送するステップをさらに含み、前記番組は、前記視聴者特徴情報にターゲット決めされたコンテンツを示す、請求項１２２に記載の方法。
【請求項１３９】
複数の個別の視聴者の各々にカスタマイズした線形ビデオ番組編成コンテンツを配送するシステムであって、
ビデオ番組編成の複数の放送ストリームを受信するための受信機を含み、各々の番組編成ストリームは別個の代替的ビデオ番組編成セグメントを含み、さらに
前記複数の視聴者の各々の嗜好を示す情報を処理して各前記視聴者に対する視聴者特徴情報を発展させるためのプロセッサと、
前記視聴者特徴情報に基づいて各々のビデオ番組編成ストリームから前記別個の代替的
ビデオ番組編成セグメントの特定のものを選択し、少なくとも一人の視聴者について選択された前記代替的ビデオ番組編成セグメントを構成することにより１つの番組編成ストリームのコンテンツ要素が各前記視聴者に対する前記視聴者特徴ターゲット情報を満たすようにし、かつ前記ビデオ番組編成ストリームからの前記選択された代替的ビデオ番組編成セグメントを、カスタマイズされた見掛け上線形の番組に組立てて前記視聴者に配送するための番組編成コントローラとを含む、システム。
【請求項１４０】
一般母集団の代表的標本の視聴習慣および関連の特徴を表わす情報を分析して前記視聴習慣と前記関連の特徴との間の関係を説明する予測モデルのパラメータを生成し、かつ前記表わす情報を分析してベイズネットワークを構築し、前記予測モデルの前記パラメータの最大事後値を計算して各視聴者毎にテレビ番組視聴嗜好を予測する予測モジュールをさらに含む、請求項１３９に記載のシステム。
【請求項１４１】
視聴者装置をさらに含み、前記プロセッサは前記視聴者装置において前記パラメータをさらに用いて各前記視聴者に対する視聴者特徴ターゲット情報を発展させる、請求項１４０に記載のシステム。
【請求項１４２】
前記プロセッサは、視聴者装置において前記パラメータをさらに用いて個別の視聴者の視聴嗜好を予測する、請求項１４１に記載のシステム。
【請求項１４３】
前記プロセッサは、前記視聴者装置において前記パラメータをさらに用いて、視聴習慣についての個人情報を外部に漏らすことなく、個別の視聴者の視聴嗜好を予測する、請求項１４１に記載のシステム。
【請求項１４４】
前記予測モデルパラメータは、一方向通信チャネルを用いて前記視聴者装置に通信される、請求項１４３に記載のシステム。
【請求項１４５】
前記番組編成コントローラは、各々の視聴者装置において前記パラメータを用いて個別の視聴者の視聴嗜好を予測し、かつ複数の利用可能なビデオ番組編成セグメントから選択された各視聴者毎の前記ビデオ番組編成セグメントの集合を構成して見掛け上線形の番組を生成して個別の視聴者の前記視聴嗜好に従って前記視聴者に線形配送する、請求項１４４に記載のシステム。
【請求項１４６】
各々の視聴者装置は、ビデオ番組編成の少なくとも２つの同時ストリームを受信するための受信機を含み、各々の番組編成ストリームは別個の代替的ビデオ番組編成セグメントの集合を含み、前記ビデオ番組編成セグメントは互いに関係のない複数のコンテンツ要素を規定し、
前記番組編成コントローラは、
各々の線形ビデオ番組シーケンスを別個のビデオ番組編成セグメントのその構成要素の集合に細分化するように動作するプログラマと、
前記視聴者特徴情報に基づいて前記ビデオ番組編成ストリームの各々から前記別個の代替的ビデオ番組編成セグメントの特定のものを選択するための手段と、
各々の視聴者毎に選択された前記代替的ビデオ番組編成セグメントを構成して、これにより１つの番組編成ストリームのコンテンツ要素が各前記視聴者に対する前記視聴者特徴ターゲット情報を満たし、かつ各前記視聴者に対する前記視聴者特徴ターゲット情報も満たす少なくとも１つの他の番組編成ストリームの関係のないコンテンツ要素が散在するようにするための手段と、
前記ビデオ番組編成ストリームの各々からの前記選択された代替的ビデオ番組編成セグメントを、カスタマイズされた見掛け上線形の番組に組立てて、前記視聴者特徴情報に従って前記複数の視聴者の各々に線形配送するための手段とを含む、請求項１４１に記載の
システム。
【請求項１４７】
前記プロセッサは、前記複数の視聴者の各々が見るテレビ番組を示す情報をさらに処理する、請求項１４１に記載のシステム。
【請求項１４８】
前記プロセッサは、前記複数の視聴者の各々によって録画されるテレビ番組を示す情報をさらに処理する、請求項１４１に記載のシステム。
【請求項１４９】
前記プロセッサは、前記複数の視聴者の各々が見ないテレビ番組を示す情報をさらに処理する、請求項１４１に記載のシステム。
【請求項１５０】
前記プロセッサは、前記複数の視聴者の各々の嗜好を示す情報をさらに処理し、前記複数の視聴者の各々が要求するテレビ番組ガイド情報を示す情報を処理する、請求項１４１に記載のシステム。
【請求項１５１】
前記プロセッサは、前記複数の視聴者の各々が要求しないテレビ番組ガイド情報を示す情報をさらに処理する、請求項１４１に記載のシステム。
【請求項１５２】
前記プロセッサは、前記複数の視聴者の各々の嗜好を示す情報をさらに処理して、各前記視聴者に対する人口統計情報を発展させる、請求項１３９に記載のシステム。
【請求項１５３】
前記番組編成コントローラは、広告、娯楽、ニュース、天気、金融、スポーツ、教育、および買物番組編成を含むビデオ番組編成セグメントの群から選択されるビデオ番組編成セグメントの集合を構成することにより、ビデオ番組編成セグメントの集合を構成する、請求項１３９に記載のシステム。
【請求項１５４】
前記番組編成コントローラは、複数の利用可能な代替的ビデオ番組編成セグメントから１つ以上の前記ビデオ番組編成セグメントを選択することによってビデオ番組編成セグメントの集合を構成して見掛け上線形の番組を生成して前記視聴者に線形配送し、前記番組は、前記視聴者特徴情報に従ってカスタマイズしたコンテンツを示す、請求項１３９に記載のシステム。
【請求項１５５】
前記番組編成コントローラは、複数の利用可能な代替的ビデオ番組編成セグメントから１つ以上の前記ビデオ番組編成セグメントを選択することによってビデオ番組編成セグメントの集合を構成して見掛け上線形の番組を生成して前記視聴者に線形配送し、前記番組は、前記視聴者特徴情報にターゲット決めされたコンテンツを示す、請求項１３９に記載のシステム。